(57)【要約】【課題】腕に装着して安定した状態で、手で持たずに観察対象物の位置や状態あるいは形状に応じて観察でき、しかも観察対象物の反射光による観察ができるだけでなく透過照明による透かし観察をすることができる。【解決手段】腕８に装着するバンド２と、該バンド２に設けられた基部６と、拡大レンズ３及び該拡大レンズ３を固定するレンズフレーム４からなるレンズ部とを備えており、レンズ部を基部６の一端に、蝶番１３により所定の範囲内において任意の角度で開閉可能に取り付けることにより、両手を使える状態で観察対象物の観察が可能である。また、基部６にバックライト５を備え、レンズ３と基部６の間にお札等を挟んで観察することにより、売り場等において偽札かどうかの真偽を判断するための簡単な鑑定に使用することもできる。【選択図】図１
2007108435.tif 000002
【特許請求の範囲】
【請求項１】
拡大レンズ及び該拡大レンズを固定するレンズフレームを備えるレンズ部と、腕に装着するバンドと、該バンドに設けられた基部とを備え、
前記レンズ部が、前記基部の一端に、所定の範囲内において任意の角度で開閉可能に取り付けられていることを特徴とする拡大鏡。
【請求項２】
観察対象物を照射する光源を備えることを特徴とする請求項１に記載の拡大鏡。
【請求項３】
前記光源は、平面発光体からなることを特徴とする請求項２に記載の拡大鏡。
【請求項４】
前記光源は、観察対象物の背面から光を照射するバックライトからなることを特徴とする請求項２又は３に記載の拡大鏡。
【請求項５】
前記光源が前記基部に設けられていることを特徴とする請求項４に記載の拡大鏡。
【請求項６】
前記レンズ部と前記基部の間に観察対象物を挟持して観察可能であることを特徴とする請求項１乃至請求項５のいずれか１項に記載の拡大鏡。
【請求項７】
前記レンズ部と前記基部の間に観察対象物を挟持して観察可能であり、前記レンズフレームは、前記観察対象物を挟持したときに前記観察対象物を前記基部に固定するための弾性部材を備えることを特徴とする請求項１乃至請求項５のいずれか１項に記載の拡大鏡。
【発明の詳細な説明】
【技術分野】
【０００１】
本発明は、腕に装着した状態で使用可能な拡大鏡に関するものであり、反射光による観察及び透過照明による透かし観察ができる拡大鏡に関する。
【背景技術】
【０００２】
従来から、読書や観察用として、ヘッドルーペ、スタンドルーペ、置き型ルーペ、手持ちルーペ、ペンダントルーペ、その他携帯用ルーペ等の種々の拡大鏡が使用されている。
【０００３】
これら拡大鏡の中には、図１１に示すように、観察対象物１００に照明光１０１を照射するための光源１０２を備えているものも存在する。この種の拡大鏡１１０は拡大レンズ１０３と取手１０４を有している。使用者は、取手１０４を手の指で保持した状態で、光源１０２からの照射光１０１を観察対象物１００に照射して、その反射光を拡大レンズ１０３により拡大することで、たとえば小さな文字を拡大して読むことができる。
【０００４】
この他の拡大鏡としては、レンズ枠とレンズ枠に対してスライドするスライドカバーを備えるものがある（特許文献１参照）。
【特許文献１】特開２０００−２８４１９１号公報
【発明の開示】
【発明が解決しようとする課題】
【０００５】
ところが、前者の取手１０４と光源１０２を有する拡大鏡１１０を使用する場合には、観察対象物の状態や位置あるいは形状に合わせて、使用者は必ず取手１０４を手で保持していなければならず、しかも拡大鏡１１０の使用は、光源１０２の照明光１０１を観察対象物１００に照射して反射させて拡大して観察する用途に限られてしまう。このため、拡大鏡１１０を使用するときには片手がふさがってしまっていた。
【０００６】
後者の拡大鏡は、観察対象物からの単なる反射光をレンズで拡大できるだけである。拡大鏡の用途としては、観察対象物の種類によっては反射光による観察だけではなく、透過照明により紙幣などの有無の確認のために透かし観察ができることが望まれている。
【０００７】
そこで、本発明は上記課題を解消するために、手で保持する必要がなく腕に装着した安定した状態で観察対象物の位置や状態に応じて観察でき、観察対象物の反射光による観察だけではなく透過照明による透かし観察ができる拡大鏡を提供することを目的とする。
【課題を解決するための手段】
【０００８】
上記課題を解消するために、本発明の第１の態様にかかる拡大鏡は、拡大レンズ及び該拡大レンズを固定するレンズフレームを備えるレンズ部と、腕に装着するバンドと、該バンドに設けられた基部とを備え、前記レンズ部が、前記基部の一端に、所定の範囲内において任意の角度で開閉可能に取り付けられていることを特徴とする。この態様によると、使用者は拡大鏡を腕に装着するだけで安定した状態で、手で保持する必要がなく片手がふさがることがなく、観察対象物の位置や状態あるいは形状に応じてバンドに対してレンズを開閉して開閉角度を変化させることで、レンズを用いて観察対象物の観察が容易にできる。
【０００９】
本発明の他の態様にかかる拡大鏡は、観察対象物を照射する光源を備えることを特徴とする。この態様によれば、使用者は、他の光源を必要とせずに観察対象物を拡大観察することが可能となる。
【００１０】
本発明の他の態様にかかる拡大鏡は、前記光源が、平面発光体からなることを特徴とする。平面発光体として、ＬＥＤを使用するもの、有機ＥＬを使用するものが望ましい。例えば、複数のＬＥＤの光を導光板により案内して片面から放射する形式のものを用いることができる。このように、ＬＥＤや有機ＥＬを用いることにより、消費電力を抑制しつつ、適度の光量を確保することが可能となる。
【００１１】
本発明の他の態様にかかる拡大鏡は、前記光源が、観察対象物の背面から光を照射するバックライトからなることを特徴とする。この態様によれば、使用者はバックライトからの光を観察対象物に透過させて透かし観察を行ったり、バックライトの光を観察対象物に照射して見たりすることができる。
【００１２】
本発明の他の態様にかかる拡大鏡は、前記光源が前記基部に設けられていることを特徴とする。この態様において、基部に設けられるとは、光源が基部内に収容されることも含む。この態様によれば、観察対象物を基部の上に載置することにより光源をバックライトとして使用することが可能となり、使用者はバックライトからの光を観察対象物に透過させて透かし観察を確実に行うことができる。また、光源を基部内に収容することにより、拡大鏡の小型化と構造の簡素化を図ることができる。
【００１３】
本発明の他の態様にかかる拡大鏡は、前記レンズ部と前記基部の間に観察対象物を挟持して観察可能であることを特徴とする。この態様によれば、監視対象物の透過観察がより容易になる。
【００１４】
本発明の他の態様にかかる拡大鏡は、前記レンズ部と前記基部の間に観察対象物を挟持して観察可能であり、前記レンズフレームは、前記観察対象物を挟持したときに前記観察対象物を前記基部に固定するための弾性部材を備えることを特徴とする。この態様によれば、観察対象物を基部側に確実に固定できるので、観察を迅速かつ正確に行える。
【発明の効果】
【００１５】
本発明によれば、腕に装着した安定した状態で、手で保持する必要がなく、観察対象物の位置や状態あるいは形状に応じてレンズを用いて観察対象物の観察が容易にでき、観察対象物の反射光による観察だけでなく透過照明により透かし観察をすることができる。また、本発明によれば、時計を見たり、おつりを確認したりするような自然な感じで迅速にお札の透かしを確認することが可能となる。
【発明を実施するための最良の形態】
【００１６】
＜第１の実施形態＞
図１は、本発明の拡大鏡の好ましい第１の実施形態を示す斜視図であり、図２は図１に示す拡大鏡をＹ方向から見た平面図、図３はＺ方向から見た側面図、そして図４はレンズフレームとフラットレンズの開閉状態を示す拡大鏡の一部を示す側面図である。
【００１７】
図１乃至図３に示すように、拡大鏡１は、リストバンド２、観察対象物を拡大して観察可能な拡大レンズからなるフラットレンズ３、レンズフレーム４、観察対象物を照射する光源及びバックライトとしての機能を有する光源５（以下、単に「バックライト５」と称する）、平板状の基部６、そしてバッテリ７を有している。
【００１８】
この拡大鏡１は、バックライト付きルーペとも呼ぶことができ、手で保持する必要がなく腕に装着した安定した状態で観察対象物の位置や状態に応じて容易に観察でき、しかも観察対象物の反射光による観察だけではなく透過照明による透かし観察ができるものである。
【００１９】
リストバンド２は、拡大鏡１を使用するときに腕８（リスト、手首）に対して着脱自在に装着するベルト状の部材であり、布やプラスチックあるいは金属などにより作られている。リストバンド２はバンドの一例であるが、図１に例示するように、リストバンド２は連結具９により腕８（リスト）に対して着脱可能に装着されている。連結具９としては、たとえばオス部材とメス部材とを用いて着脱自在に連結可能なマジックシートなどを採用することができるが、他の種類のものであっても構わない。
【００２０】
図１と図３に示すように、フラットレンズ３は観察対象物を拡大する拡大レンズであり、プラスチックレンズやガラスレンズを使用することができる。フラットレンズ３はレンズフレーム４により保持されており、レンズフレーム４は金属やプラスチックにより作られている。レンズフレーム４は、略長方形の部材であり、フラットレンズ３をはめ込むためのほぼ長方形の開口部１０を有している。レンズフレーム４の一方側には、突出部（開放端ともいう）１１がレンズフレーム４の平面方向Ｆとほぼ直交する方向Ｅに沿って基部６の一端部１４Ａに向けて形成されている。レンズフレーム４の他方側には、連結部１２がレンズフレーム４の平面方向Ｆとほぼ直交する方向Ｅに沿って形成されている。
【００２１】
連結部１２は蝶番１３を用いて基部６の他端部１４に連結されていて、レンズフレーム４と一体になっているフラットレンズ３は、図１と図４に示すように基部６に対して蝶番１３を介して回転方向Ｒに沿って好ましくは９０度以上回転して開閉可能であり、その開いた状態でその角度を維持できる。このような蝶番１３として、例えば、各種フリーストップヒンジを使用することができる。
【００２２】
図５と図６（Ａ）は基部６の他端部１４と連結部１２および蝶番１３の付近の構造例を示している。この蝶番１３はいわゆるフリーストップヒンジであり、構造の一例を挙げれば、図６（Ａ）に示すように、レンズフレーム４の連結部１２には連結軸１７が固定されており、基部６の他端部１４には２つの円筒状のはめ合い部材１８が固定されている。図６（Ｂ）に示すように連結軸１７の両端部は、２つのはめ合い部材１８の中にはめ込まれて支持されている。これにより、図４に示すようにレンズフレーム４とフラットレンズ３は、基部６およびリストバンド２に対して開閉可能であり、しかも任意の角度になるように開いて、その開いた状態を維持することができる。この例では連結軸１７の両端部と、２つのはめ合い部材１８との摩擦力を利用してレンズフレーム４が所定の角度で開いた状態を維持できる。
【００２３】
しかし、図６（Ｃ）に示すような構造を採用することも可能であり、この例では２つの円筒状のはめ合い部材１８の内周部には幾つかの凹部１９が形成されていて、連結軸１７の外周部には１つの突部２０が形成されている。連結軸１７が回転してこの突部２０がいずれかの凹部１９にはまり込むことにより、図４に示すようにレンズフレーム４とフラットレンズ３は、基部６に対して任意の角度に開いてその開いた状態を維持することができる。
【００２４】
次に、バックライト５、平板状の基部６、そしてバッテリ７について説明する。尚、注意を喚起するために再度説明するが、本発明のバックライト５は単なるバックライトとしての機能だけではなく、観察対象物に光を照射するライト（光源）としての機能も備えている。すなわち、観察対象物を挟んで（挟持して）観察するときは、バックライトとして機能するが、レンズ部を開いて観察対象物を観察するときには、観察対象物に光を照射する照射光源として機能する。
【００２５】
図１と図４に示す基部６は、プラスチックや金属により作られている平板状の部材であり、この例では基部６はバックライト５とバッテリ７（図１及び図３を参照）を収容して保持することで拡大鏡１の小型化と構造の簡素化を図っている。
【００２６】
バックライト５はたとえばＬＥＤ（発光ダイオード）、有機ＥＬ（エレクトロルミネッセンス）、無機ＥＬあるいは小型のフィラメントを用いたランプなどの各種光源を使用することができる。好ましくは、省電力、耐久性、及び均一な光の照射等の観点から現時点ではＬＥＤを用いた平面発光体が好ましい。例えば、バックライト５として、携帯電話の表示部に使用されているような構造の平面発光体を採用することができる。この方式では、ＬＥＤの光を、導光板を用いて横方向である基部６の平面方向に沿って導きながら、この導光板の内面（裏面）で乱反射させて、導光板の表面（基部６の表面２１）側に導く。ＬＥＤの光は導光板の表面（基部６の表面２１）からフラットレンズ３側に高輝度で高効率に射出でき、これにより、低電圧で安全であり、電力消費を抑えることができる。
【００２７】
図１と図３に示すように、平面発光体からなるバックライト５がフラットレンズ３と平行に、基部６の表面２１側に埋め込まれており、バックライト５から照射された光はレンズ面全体に均一に照射される。このようなバックライト５を用いることにより、明るさが均一であり、影が出にくく観察対象物を明確に観察できる。基部６の表面２１は閉じた状態のレンズフレーム４とフラットレンズ３にほぼ平行な面を示している。
【００２８】
バッテリ７は基部６に対して好ましくは交換可能に内蔵されており、たとえば板状電池である。バッテリ７としては、たとえばリチウムイオン電池などが好ましい。バッテリ７は、図３のスイッチ４０をオンするだけで、バックライト５を点灯させるために電源を供給する。
【００２９】
図３に示すように、レンズフレーム４と基部６の間には、挿入部２５が設けられている。挿入部２５は、図７（Ａ）と図８に示すように薄板状の観察対象物３０を抜き挿し可能に挿入することで、フラットレンズ３とバックライト５の間に観察対象物３０を配置することができる。この観察対象物３０としては、一例として紙幣であり、紙幣の透かし部分３１をフラットレンズ３とバックライト５の間に配置している。使用時には、バックライト５は、基部６に設けられたメインスイッチ４０をオンすることでバッテリ７からの電源を供給して平面照射光を点灯できる。
【００３０】
図２乃至図４に示すように、観察対象物３０を基部６の表面側に抑えて保持するために、好ましくは左右に２つの弓状のバネ６０が設けられている。この弓状のバネ６０は、たとえば金属やプラスチックにより作られており、フラットレンズ３の長手方向に沿って、レンズフレーム４の内面側の各バネ収納用の溝６８内に取り付けられている。バネ６０の一端部は溝６８の内底面に固定され、他端部は固定されずに解放されている。図２と図３に示すように、レンズフレーム４が基部６側に重なっている際には、バネ６０は溝６８内に収容されているが、図４に示すようにレンズフレーム４が基部６側から開くとバネ６０の一部は溝６８から基部６側に突出する。
【００３１】
尚、本実施例では、弓状のバネ６０を使用して、観察対象物を保持しているが、弓状のバネ６０に代えて、コイルバネ、一部を屈曲した板バネ等の弾性部材を用いることも可能である。また、フラットレンズ及びレンズフレームからなるレンズ部を閉じたときにのみ、レンズ部を基部に押圧するトーションスプリングを蝶番部１３に設けることも可能である。
【００３２】
図２乃至図４に示すクランプ７９は、使用しないときにはレンズフレーム４を基部６側に固定しておくことができるが、クランプ７９による固定を解除すると、図４に示すようにレンズフレーム４は基部６側から開くことができる。図３に示すように、マイクロスイッチ８８を基部６に固定しておき、図３に示すレンズフレーム４が閉じた状態から図４に示すようにレンズフレーム４の突出部１１（開放端ともいう）が基部６から例えば３乃至４ｍｍ程度開いたときに、マイクロスイッチ８８がオンしてバックライト５が点灯するように構成することも可能である。
【００３３】
次に、図７乃至図９を参照しながら、拡大鏡１の好ましい幾つかの使用例について具体的に説明する。
【００３４】
使用者は、図１と図２に示すように、拡大鏡１を腕８に対してリストバンド２を用いて着脱自在に装着する。これにより、使用者は拡大鏡１を腕８に装着するだけで安定した状態で拡大鏡１を容易に保持でき、手で持って保持する必要がなく両手が自由に使える。
【００３５】
図７（Ａ）と図８は、観察対象物３０を透過照明により拡大して観察する使用例を示している。この例では、レンズフレーム４は閉じた状態であり、レンズフレーム４と基部６は平行であり水平に保持されている状態であり、レンズフレーム４とフラットレンズ３は基部６に対して閉じている。
【００３６】
使用者は、レンズフレーム４と基部６の間の挿入部２５内に観察対象物３０を抜き挿し可能に挿入でき、フラットレンズ３とバックライト５の間には観察対象物３０の透かし部分３１が配置できる。このように観察対象物３０がレンズフレーム４と基部６の間に配置されると、バネ６０が観察対象物３０を基部６の表面側に押しつけるとともに、レンズフレーム４の突出部１１も観察対象物３０を固定する。これにより、観察対象物３０が観察中に不用意に移動してしまうことがなくなり、確実に観察対象物３０を観察できる。
【００３７】
図９（Ａ）に示すようにバックライト５が非点灯時に透かし部分３１には紙幣の人物像３１ａが浮かんでいないが、図９（Ｂ）に示すようにバックライト５が点灯時には、透かし部分３１には紙幣の人物像３１ａが浮かび、フラットレンズ３により拡大して容易に観察できる。これにより、たとえ暗がりであってもたとえば店舗において店員が紙幣の透かしの有無の確認を即座にすることができる。しかも、店員がお客様の目前でお札を電球にかざして透かし部分３１を確認するなどの行為はしなくてすみ、あたかも時計を見るような自然な感じで透かし部分３１の確認が可能である。
【００３８】
このときに、図７（Ａ）に示すように２つの弓状のバネ６０により観察対象物３０を基部６の表面側に押さえておくことができるので、観察対象物３０の位置がずれるのを防ぐことができる。従って、バックライト５の光を観察対象物３０の必要な部分の裏面に正確に照射することができ、その透過光により必要な部分の透かし観察を行うことができる。
【００３９】
次に、図７（Ｂ）は、観察対象物３２に対してバックライト５から側面照明を当てて観察対象物３２からの反射光を拡大して観察している例を示している。
【００４０】
この例では、レンズフレーム４が基部６に対してＲ方向にたとえばほぼ９０度開いた状態で保持されており、観察対象物３２はたとえば指輪のような立体形状物であり台座３３の上に置かれている。腕を少し回すことで、基部６はほぼ垂直方向Ｖに向いており、レンズフレーム４はほぼ水平である。
【００４１】
バックライト５の照射光は、観察対象物３２で反射して反射光としてフラットレンズ３を通過するので、使用者は観察対象物３２の側面に当たるバックライト５の照射光を用いて、側面照明により拡大して確実かつ容易に観察することができる。この例では宝石や小物の観察などに使用できる。
【００４２】
図７（Ｃ）は、観察対象物３４に対してさらに斜め上方からバックライト５の照明を当てて観察対象物３４からの反射照明を拡大して観察している例を示している。
【００４３】
この例では、レンズフレーム４が基部６に対してＲ方向にたとえば９０度を超えて開いた状態で保持されており、観察対象物３４はたとえばコインのような立体形状物であり台座３３の上に置かれている。腕を回すことで、基部６は斜め方向Ｗに沿っており、レンズフレーム４はほぼ水平である。
【００４４】
バックライト５の照射光は、観察対象物３４で反射して反射光としてフラットレンズ３を通過するので、使用者は観察対象物３４の表面をバックライト５の照射光を用いて、反射照明により拡大して確実かつ容易に観察することができる。この例では、コインの表面観察や、時刻表や新聞あるいは辞書などの小さな文字の目視確認などをすることができる
【００４５】
図７（Ｄ）は、この例では、レンズフレーム４は閉じた状態であり、レンズフレーム４と基部６は平行であり水平に保持されている状態であり、レンズフレーム４とフラットレンズ３は基部６に対して閉じている。観察対象物は挿入部２５には挿入されず、バックライト５からの照明光をフラットレンズ３に通すことにより、たとえば非常時に手元照明用の平面光源として使用することができる。この平面光源は、たとえば暗い場所で対象物に光を当てることで、対象物を目視で確認することができる。図７（Ｂ）と図７（Ｃ）の例では、平面ライト状のバックライト５の照明光を使用するので、影が出にくく反射光による観察対象物の観察がしやすい。
【００４６】
上述した拡大鏡１の使用形態において、使用者は拡大鏡を腕に装着するだけで安定した状態で、手で持って保持する必要がなく片手がふさがることがなく両手の使用ができ、観察対象物の位置や状態に応じてバンドに対してレンズを開閉して開閉角度を調整することで、レンズを用いて観察対象物の観察ができる。
【００４７】
使用者はバックライトからの光を観察対象物に透過させて透かし観察を行ったり、バックライトの光を観察対象物の表面に照射して確実かつ容易に見たりすることができる。観察対象物は挿入部に挿入するだけで、使用者はバックライトからの光を観察対象物に透過させることができるので、たとえ暗がりであっても透かし観察を確実かつ迅速に行うことができる。
【００４８】
レンズフレームとフラットレンズは、基部あるいはリストバンドに対して蝶番（ヒンジ）を用いて開閉角度を変化でき、バックライトからの観察対象物に対する平面照明光の照射角度を変えて、観察対象物を最適に観察できる。
【００４９】
図３のバックライト５による照明が不要なときには、メインスイッチ４０をオフにすればよい。また、このメインスイッチ４０のほかに、上述したように拡大鏡１のレンズフレーム４の開閉に連動した別の開閉スイッチ（マイクロスイッチ８８）を、たとえば基部６に取り付けておくことにより、レンズフレーム４を開くと開閉スイッチをオンにしてバックライト５を点灯し、閉じるとバックライトを消灯するよう構成することもできる。この場合、透過観察を希望する場合には、閉じた状態でもバックライトをオンにできることが好ましい。
【００５０】
例えば、透過観察をするときは、マニュアル操作によりバックライトを点灯させる構成とすることや、観察対象物が狭持されたことを検知することにより自動的にバックライトを点灯させる構成とすることが可能である。観察対象物が挟持されたことを検知するこの手段として、例えば、基部６またはレンズフレーム４の一方に窪み部を設け、他方に、閉じたときに当該窪み部に挿入される可動突出部を設けて、可動突出部とマイクロスイッチとを連動させる構造を用いることができる。また、ＬＥＤ等の光源と光センサを用いて観察対象物の存在を検知することも可能である。
【００５１】
＜他の実施形態＞
尚、本発明は、上記実施形態に限定されるものではなく、種々の変形が可能である。
たとえば、図１０は本発明の他の実施形態を示している。図１０（Ａ）の拡大鏡１は、フック４３を有している。このフック４３はレンズフレーム４が基部６から不用意に開くことがないように、使用しないときにはレンズフレーム４を基部６側に対して着脱可能に保持する。
【００５２】
図１０（Ｂ）と図１０（Ｃ）の各拡大鏡１では、バッテリの形状と配置が異なっている。
図１０（Ｂ）の拡大鏡１では、円柱型のバッテリ５７がリストバンド２の外側に配置されており、ケース５８によりカバーされている。このため、基部６内には板状のバッテリは内蔵されていない。これにより基部６の薄型化が図れる。バッテリ５７としては単三電池、単四電池、単五電池、００６Ｐ電池などがある。
【００５３】
図１０（Ｃ）の拡大鏡１では、ボタン型のバッテリ６７がリストバンド２の外側に配置されており、ケース６９によりカバーされている。このため、基部６内には板状のバッテリは内蔵されていない。これにより基部６の薄型化が図れる。
【００５４】
図示例ではバンドに対して基部６が固定されていて、基部６にバックライトとバッテリが内蔵されているが、これに限らず基部を省略して、バンド内にバックライトとバッテリを組み込む構造を採用してもよい。これにより更なる構造の簡素化が図れる。
【００５５】
本発明の拡大鏡の実施形態は、上述したように暗がりでの紙幣の透かし確認や、地図の内容の確認、時刻表や辞書の内容の確認、サインなどの書類記載事項の確認、切手やコインなどの確認、宝石などの観察、昆虫や木の葉などの自然観察に使用することができる。
【図面の簡単な説明】
【００５６】
【図１】本発明の拡大鏡の好ましい第１の実施形態を示す斜視図である。
【図２】図１のＹ方向から見た拡大鏡を示す平面図である。
【図３】図１のＺ方向から見た拡大鏡を示す平面図である。
【図４】レンズフレームとフラットレンズの開閉状態を示す図である。
【図５】蝶番付近を示す側面図である。
【図６】蝶番付近を示す平面図と断面図である。
【図７】拡大鏡の使用例を示す図である。
【図８】拡大鏡の使用例を示す図である。
【図９】拡大鏡の使用例を示す図である。
【図１０】本発明の拡大鏡の好ましい第１の実施形態と他の実施形態を示す図である。
【図１１】従来の拡大鏡の例を示す図である。
【符号の説明】
【００５７】
１    拡大鏡
２    リストバンド（バンドの例）
３    フラットレンズ（レンズの例）
４    レンズフレーム
５    バックライト
６    基部
７，５７，６７    バッテリ
８    腕
９    連結具
１０  開口部
１１  突出部  
１２  連結部
１３  蝶番
１４  他端部
１７  連結軸
１８  はめ合い部材  
３０，３２，３４  観察対象物
６０  弓状のバネ
６８  バネの収納用の溝
【図１】
2007108435.tif 000003
【図２】
2007108435.tif 000004
【図３】
2007108435.tif 000005
【図４】
2007108435.tif 000006
【図５】
2007108435.tif 000007
【図６】
2007108435.tif 000008
【図７】
2007108435.tif 000009
【図８】
2007108435.tif 000010
【図９】
2007108435.tif 000011
【図１０】
2007108435.tif 000012
【図１１】
2007108435.tif 000013